(57)【特許請求の範囲】
【請求項１】
化粧料の収納空間を有する容器本体と、この容器本体に合わさって容器を密閉保持する蓋体と、この蓋体と容器本体との連係を解除して蓋体の開放を可能とするプッシュピースとを備えた化粧料容器であって、
前記プッシュピースは、後端部を容器本体より露出させてその部位を押圧部とするとともに容器本体の底壁に沿って往復移動可能なベースと、このベースの前側左右のそれぞれに一体的につながり該ベースを容器本体内にて弾性支持する一対の弾性部材とを備え、
前記各弾性部材は、先端を相互に近接させて該ベースに片持ち状態で固定保持されるアームからなることを特徴とする化粧料容器。
【請求項２】
前記ベースは、容器本体の側壁に当接して容器本体からの抜け出しを防止するストッパーを有する請求項１記載の化粧料容器。
【発明の詳細な説明】
【技術分野】
【０００１】
本発明は、ファンデーションやアイシャドー等の化粧料を入れるのに適した化粧料容器に関するものであり、該化粧料容器の蓋体を開放する際に使用するプッシュピースのサイズのコンパクト化を図り化粧料容器を設計する際の自由度をより一層拡大しようとするものである。
【背景技術】
【０００２】
コンパクトに代表される化粧料容器は、容器本体と蓋体とが枢軸を介して開閉可能に連結されており、蓋体に設けたフックを容器本体側のフック、あるいはプッシュピースに設けられたフックに連係させることによって容器本体を確実に密閉し、容器本体の側壁から露出するプッシュピースを押し込むことによりフックの相互連係を解除して蓋体の開放を可能としていた。
【０００３】
ところで、この種の容器に適用されるプッシュピースは、フックの連係の解除に際して該プッシュピースを初期姿勢に復元するために容器本体の内側に複数本の弾性部材（板状のばね）が組み込まれている（例えば特許文献１参照）ところ、該弾性部材は、プッシュピースを構成するベースの両側へ張り出した幅広がり構造になっていることから、これが内容物を収納した中皿の形状、サイズを変更する場合や容器そのものの形状、サイズ等を変更する場合の阻害要因になっていた。また、弾性部材がベースの両側に張り出した従来のプッシュピースは、偏った位置でプッシュピースを押し込んだ際に各弾性部材の変形挙動に違いが生じてフックの連係を解除することができない場合もしばしば見受けられた。
【０００４】
【特許文献１】特開平１０−１０８７２３号公報
【発明の開示】
【発明が解決しようとする課題】
【０００５】
本発明の課題は、フックの連係を確実に解除することが可能であり設計上の自由度を拡大できる新規な化粧料容器を提案するところにある。
【課題を解決するための手段】
【０００６】
本発明は、化粧料の収納空間を有する容器本体と、この容器本体に合わさって容器を密閉保持する蓋体と、この蓋体と容器本体との連係を解除して蓋体の開放を可能とするプッシュピースとを備えた化粧料容器であって、
前記プッシュピースは、後端部を容器本体より露出させてその部位を押圧部とするとともに容器本体の底壁に沿って往復移動可能なベースと、このベースの前側左右のそれぞれに一体的につながり該ベースを容器本体内にて弾性支持する一対の弾性部材とを備え、
前記各弾性部材は、先端を相互に近接させて該ベースに片持ち状態で固定保持されるアームからなることを特徴とする化粧料容器である。
【０００７】
上記の構成になる化粧料容器において、ベースには、容器本体の側壁に当接して容器本体からの抜け出しを防止するストッパーを設けておくことが好ましい。
【発明の効果】
【０００８】
弾性部材としてベースの前端部にアームを設け、その先端を相互に近接させて片持ち状態で固定保持したハの字状配置とすることにより、該弾性部材のベースからの両側への張り出しが抑制されるため、中皿の形状やサイズ、容器そのものの形状、サイズを比較的自由に変更することが可能となり設計上の自由度が拡大される。
【０００９】
プッシュピースの幅寸法は必要最小限に留めておくことできるので、プッシュピースの押し込みに必要な力を軽減することが可能になるとともに、押し込み部位に偏りがあってもフックの連係を確実に解除し得る。
【発明を実施するための最良の形態】
【００１０】
以下、図面を用いて本発明をより具体的に説明する。
図１は本発明にしたがう合成樹脂製化粧料容器の実施の形態を示した外観斜視図であり、図２は図１に示した化粧料容器に組み込まれるプッシュピースの外観斜視図であり、図３（ａ）（ｂ）は図２に示したプッシュピースの平面及び側面を示した図である。
【００１１】
図における１は容器本体である。この容器本体１には化粧料を収納したドラム１ａと、パフ等の塗布具を装填する凹部１ｂが設けられている。また、２は容器本体１に合わさって容器を密閉保持する蓋体である。この蓋体２は容器本体１に枢軸を介して開閉可能に保持されており、該枢軸の対向側の長辺部中央には容器本体１のフック１ｃに連係するフック２ａが配置されている。蓋体２の裏面には鏡２ｂと、ドラム１ａに適合してその内側を気密状態に保持する環状シール体２ｃが設けられている。
【００１２】
３は蓋体２のフック２ａと容器本体１のフック１ｃとの連係を解除して蓋体２の開放を可能とするプッシュピースである。このプッシュピース３は後端部を容器本体１の開口ｈより露出させてその部位を押圧部Ｐとするものであって、図２に示すように容器本体１の底壁に沿ってスライド可能なベース３ａと、このベース３ａに一体的に設けられ蓋体２のフック２ａと容器本体１のフック１ｃとの連係を解除する凸部３ｂからなっている。凸部３ｂには蓋体２のフック２ａに当接して押し上げ可能な傾斜部３ｂ１が形成されている。
【００１３】
４、５はベース３ａを容器本体１内で弾性支持する一対の弾性部材である。この弾性部材４、５はベース３ａの前側左右にそれぞれ片持ち状態で一体的に設けられたアーム（細長い板状部材を押圧部Ｐ側に向けて凸となるように湾曲させた形状になる板ばね等が適用される）からなっている。この弾性部材４、５の自由端となる先端は相互に近接しており平面視において八の字形状を呈している。
【００１４】
弾性部材４、５の先端は容器本体１の底部に設けられた起立壁６に当接するように組み込まれている（図４参照）。また、プッシュピース３は少なくとも容器本体内に押し込んだ際に、該ベース３ａに容器本体１の開口ｈへ向かう復元力が生じるように配置されている。
【００１５】
７ａ、７ｂはベース３ａの両側から突出するように設けられたストッパーである。このストッパー７ａ、７ｂは弾性部材４、５のそれぞれの末端部から延設させた場合を例として示してあり、容器本体１の側壁（開口ｈの両側の壁部）あるいは側壁に設けられた凹部に適合させることにより該ベース３ａを側壁と起立壁６の相互間で位置決めしベース３ａの開口ｈからの抜き出しを防止するようになっている。
【００１６】
蓋体２が容器本体１に合わさった図４（ａ）に示す状態では蓋体２のフック２ａが容器本体１のフック１ｃに連係しており、容器内は確実に密閉保持されている。プッシュピース３のベース３ａの押圧部Ｐを容器本体１の内部へ向けて押し込むと、凸部３ｂの傾斜部３ｂ１にて蓋体２のフック２ａが押し上げられて図４（ｂ）に示すように蓋体２のフック２ａと容器本体１のフック１ｃの連係が解除されて蓋体２の開放が可能となる。
【００１７】
本発明にしたがう化粧料容器は、プッシュピース３を弾性保持する弾性部材４、５の先端がベース３ａの幅方向の中心へ向かうようなハの字形状を呈する取り付け姿勢を有しているため、従来のプッシュピースのような幅広になることがなく、設計上の自由度が拡大されることになる。
【００１８】
また、かかるプッシュピース３は弾性部材４、５の起立壁６に対する接触位置が近接しているため多少の偏りをもってフックピース３を押圧しても蓋体２のフック２ａと容器本体１のフック１ｃとの連係を確実に解除することができるうえ、フックの連係を解除するのに必要な力も従来のプッシュピースで必要とする力よりも小さくできる利点がある。
【００１９】
弾性部材４、５については細長い板状部材を例として示したが円形断面を有する棒状部材であってもかまわず、また、弾性部材４、５を容器本体１の起立壁６に向けて凸となるように湾曲させた形状でもよいし直線状であってもよく、この点に関しては容器の形状やサイズに応じて適宜変更される。
【００２０】
また、前記実施の形態では、容器本体１に蓋体２のフック２ａと係合するフックを設けたが、図５に示すようにプッシュピース３にフック３ｃを形成してもよい。
【産業上の利用可能性】
【００２１】
フックの連係を確実に解除して蓋体を開放することが可能であり、かつ設計上の自由度が拡大された化粧料容器が提供できる。
【図面の簡単な説明】
【００２２】
【図１】本発明にしたがう化粧料容器の外観斜視図である。
【図２】図１に示した化粧料容器に組み込まれたプッシュピースの外観斜視図である。
【図３】図２に示したプッシュピースの平面を示した図である。
【図４】（ａ）（ｂ）は蓋体の開閉状況の説明図である。
【図５】本発明にしたがう化粧料容器の他の実施の形態を要部について示した図である。
【符号の説明】
【００２３】
１    容器本体
１ａ  ドラム
１ｂ  中皿
１ｃ  フック
２    蓋体
２ａ  フック
３    プッシュピース
３ａ  ベース
３ｂ  凸部
３ｃ  フック
４    アーム
５    アーム
６    起立壁
７ａ  ストッパー
７ｂ  ストッパー
【図１】
0005138462.tif 000002
【図２】
0005138462.tif 000003
【図３】
0005138462.tif 000004
【図４】
0005138462.tif 000005
【図５】
0005138462.tif 000006